(57)【要約】【課題】  従来、圃場等に螺旋杭を立設する螺旋杭立設具として螺旋杭の上端に棒状のハンドルを取付け手回転させていたが、近くに立設した他の螺旋杭などがあると、この杭にハンドルが当って回転が思うように回転できなかった。【解決手段】  本発明の螺旋杭立設具は、先端側に螺旋Ｘ１を有し、基端側に取付部Ｘ３を有する螺旋状杭を地面に立設するものである。取付部Ｘ３に包持体４を被せ、包持体４に回動自在に取り付けられた係止固定部材５の下端に形成された突出体７の凹部７ａに螺旋杭本体Ｘ２を入れる。係止固定部材５はコイルバネ６ａによって、螺旋杭本体Ｘ２に圧接し、ハンドルと螺旋杭本体とはほぼ直角に保持される。包持体４に係止されるハンドル１は、ラチェット機構２を有する。【選択図】  図１
2009002063.tif 000002
【特許請求の範囲】
【請求項１】
先端側に螺旋を有し、基端側に取付部を有する螺旋杭を、地上に立設するための螺旋杭立設具であって、
前記取付部に着脱可能な保持体と、該保持体と係合して前記螺旋杭を回転する棒状のハンドルと、該ハンドルに設けられ、ハンドルが螺旋杭を回転する方向を切替可能なラチェット機構とを有し、前記保持体が前記螺旋杭本体と前記ハンドルとを所定の角度に保持することを特徴とする螺旋杭立設具。
【請求項２】
前記保持体が、前記取付部に着脱可能な包持体と、該包持体に設けられた係止固定部材を有し、前記螺旋杭本体と前記ハンドルとをほぼ直角に保持することを特徴とする請求項１記載の螺旋杭立設具。
【請求項３】
前記包持体が、下方が開放された容器であり、螺旋杭の取付部を下方から挿脱自在であることを特徴とする請求項２に記載の螺旋杭立設具。
【請求項４】
前記係止固定部材が、前記包持体に弾性体で付勢された蝶番で揺動自在に取付けられ、下端に突出体を有し、該突出体に凹部が形成され、該凹部内に螺旋杭本体を収容したとき、前記弾性体が突出体を螺旋杭本体に圧接することを特徴とする請求項２又は３に記載の螺旋杭立設具。
【請求項５】
前記係止固定部材が、前記包持体から回動自在に垂下され、包持体に挿入された螺旋杭本体を挟み持つ挟持固定部材を有することを特徴とする請求項２または３に記載の螺旋杭立設具。
【発明の詳細な説明】
【技術分野】
【０００１】
本発明は、螺旋杭立設具に関する。
【背景技術】
【０００２】
従来、圃場等にビニールハウスを設置するなど様々な局面で地面に螺旋杭を立設していた。螺旋杭を立設するときは、螺旋杭の頭部の環状の取付け部に棒状のハンドルを挿通し、ハンドルを下方に押し付けながらねじ込み水平方向に回していた。しかし、螺旋杭の頭部は、螺旋杭の中心から偏心した位置にあるので、ねじ込み始めの螺旋杭は頭部が杭の中心軸の周囲を旋回し、ふらついて希望通りの角度で地面にねじ込むことが難しかった。
【０００３】
この点を解決したものとして特許文献１（特開２００４−１１６２７３）の螺旋杭打込み作業用補助具があった。この文献は、地上に螺旋杭を立てた状態で保持する螺旋杭支持部を有し、該螺旋杭支持部の他端外周の放射方向に踏板を突設した螺旋杭打込み作業用補助具であった。螺旋杭支持部があるので、ねじ込み始めの杭のふらつきを防止することができる。
【０００４】
しかしながら、この螺旋杭打込み作業用補助具は、螺旋杭をねじ込む近くに他の杭や支柱などがあると、その杭や支柱にハンドルがつかえるためスムーズに回転できず、その都度ハンドルの位置を調整する必要があった。
【特許文献１】特開２００４−１１６２７３号文献
【発明の開示】
【発明が解決しようとする課題】
【０００５】
本発明の螺旋杭立設具は、近くの他の杭や支柱などにハンドルがつかえることがなく、螺旋杭を地中にねじ込める螺旋杭立設具を提供することを目的としている。
【課題を解決するための手段】
【０００６】
上記の目的を達成するために本発明の請求項１に記載の螺旋杭立設具は、先端側に螺旋を有し、基端側に取付部を有する螺旋杭を、地上に立設するための螺旋杭立設具であって、前記取付部に着脱可能な保持体と、該保持体と係合して前記螺旋杭を回転する棒状のハンドルと、該ハンドルに設けられ、ハンドルが螺旋杭を回転する方向を切替可能なラチェット機構とを有し、前記保持体が前記螺旋杭本体と前記ハンドルとを所定の角度に保持することを特徴とする。
【０００７】
本発明の請求項２に記載の螺旋杭立設具は、前記保持体が、前記取付部に着脱可能な包持体と、該包持体に設けられた係止固定部材を有し、前記螺旋杭本体と前記ハンドルとをほぼ直角に保持することを特徴としている。
【０００８】
本発明の請求項３に記載の螺旋杭立設具は、前記包持体が、下方が開放された容器であり、螺旋杭の取付部を下方から挿脱自在であることを特徴としている。
【０００９】
本発明の請求項４に記載の螺旋杭立設具は、前記係止固定部材が、前記包持体に弾性体で付勢された蝶番で揺動自在に取付けられ、下端に突出体を有し、該突出体に凹部が形成され、該凹部内に螺旋杭本体を収容したとき、前記弾性体が突出体を螺旋杭本体に圧接することを特徴としている。
【００１０】
本発明の請求項５に記載の螺旋杭立設具は、前記係止固定部材が、前記包持体から回動自在に垂下され、包持体に挿入された螺旋杭本体を挟み持つ挟持固定部材を有することを特徴としている。
【発明の効果】
【００１１】
請求項１の螺旋杭立設具は、ハンドルにラチェット機構が取付けられているから、ハンドルがつかえる位置に他の杭や支柱などがあってハンドルを１回転できないときでも、ラチェットの歯１枚以上の回転を与えられれば、螺旋杭の取付部に取付けたハンドルの位置を調整することなくハンドルを正逆方向に繰り返し回動するだけで地中に螺旋杭を立設できる。また、螺旋杭立設具には、ハンドルの長手方向と螺旋杭本体を一定の角度に保持する保持体があるので、ハンドルを螺旋杭の取付部に取付け、螺旋杭を地面に対して所望の角度に向け、螺旋杭の下端を地面に挿し込んでハンドルを回動するだけで、螺旋杭を所望の角度で地面に立設できる。
【００１２】
請求項２の螺旋杭立設具は、保持体が蓋のない容器を倒立させた形状の包持体と、この包持体に螺旋杭の取付部を揺動状態で挿入しても、ハンドルの長手方向と螺旋杭本体をほぼ直角に固定する固定体により固定されるから、ハンドルと螺旋杭とをほぼ直角に保持でき、ハンドルの揺動を抑えて安定して螺旋杭を所望の角度で地面に立設できる。
【００１３】
請求項３の螺旋杭立設具は、前記包持体が、下方が開放された容器であり、螺旋杭の取付部を下方から挿脱自在であるから、包持体と螺旋杭との着脱を簡単に行うことができる。
【００１４】
請求項４の螺旋杭立設具は、突出体の凹部内に螺旋杭本体を収容したとき、弾性体が突出体を螺旋杭本体に圧接するので、螺旋杭をガタツキ無く保持することができ、安定して螺旋杭をねじ込む作業ができるようになる。
【００１５】
請求項５の螺旋杭立設具は、包持体に挿入された螺旋杭本体を挟み持つ挟持固定部材を有するので、螺旋杭をガタツキ無く保持することができ、安定してねじ込む作業ができるようになる。
【発明を実施するための最良の形態】
【００１６】
図１ないし図４により本発明の螺旋杭立設具を説明する。図１の一部切欠断面付き正面図に示すように、本発明の螺旋杭立設具は、螺旋杭Ｘを地上に立設するための杭立設具である。
【００１７】
螺旋杭Ｘは、先端側、すなわち、立設時の下端近傍（あるいは下端）に螺旋Ｘ１を有し、基端側、すなわち、上端に棒状のハンドルを着脱自在に取付ける環状（環状に限定せず）の取付部Ｘ３を有する。図１では、螺旋Ｘ１を、螺旋杭本体Ｘ２の先端側の外周に板が螺旋状に巻き付いた杭で示したが、図７に示すような棒材を螺旋状に巻いた螺旋Ｙ１を備えた螺旋杭Ｙとしてもよい。
【００１８】
本発明の螺旋杭立設具は、ハンドル１と保持体３とから構成される。ハンドル１は棒状で、その中央部には、ラチェット機構２がある。ラチェット機構２は、嵌合孔１ａの外周に多数の歯を有する歯車２ｂと、該歯車２ｂと噛合する２個の切替突起２ｃを備えた爪２ｅと、爪２ｅの回転軸２ｄと、押圧ピン２ｊと、弾性体２ｆとから構成されている。押圧ピン２ｊは弾性体２ｆにより付勢されて爪２ｅを押圧するが、爪２ｅの一方を押圧するときと、他方を押圧するときとで、歯車２ｂの回転方向が反転する。
【００１９】
保持体３は、螺旋杭本体Ｘ２の頭部に着脱される包持体４と、ハンドル１と螺旋杭Ｘとをほぼ直角に保つ係止固定部材５とを有する。包持体４は、下端に開口４ａを有し、上端にハンドル１の嵌合孔１ａに嵌合する多角形の突起４ｂが突設された倒立状の扁平な容器形である。
【００２０】
図２は、図１の固定具と上部蓋体１ｃを取外したときのハンドル１の要部を示す平面図である。この図に示すように、ハンドル１は、中央に多角形(１２角形)の嵌合孔１ａを有し、嵌合孔１ａの周囲にラチェット機構２が取付けられている。ハンドル１の両端は、把持部１ｄである。ハンドル１は、包持体４に着脱自在で、ラチェット機構２の下部に多角形の孔を形成し、この孔に包持体４に立設した多角形の突起を嵌合させることで着脱される。包持体４にハンドル１を嵌合させ、上部蓋体１ｃで抑え、固定部材１ｂで固定することで、ハンドル１を固定することができる。なお、上記とは逆に、ハンドル側に多角形の突起を形成し、包持体４にこの突起の嵌合する孔を形成してもよい。
【００２１】
包持体４を螺旋杭本体Ｘ２の頭部に取り付け、ハンドル１を包持体４に取り付け、ハンドル１を螺旋杭Ｘの中心軸回りに回動することにより螺旋杭本体Ｘ２の下端側の螺旋Ｘ１を回転させて螺進させ、螺旋杭Ｘを地上に立設することができる。
【００２２】
包持体４の下端の開口４ａから螺旋杭Ｘの取付部Ｘ３を挿入すると、取付部Ｘ３の頭部は丸いので、包持体４は揺動可能な状態で挿入される。この揺動があると、ハンドル１も揺動し、螺旋杭Ｘをねじ込む場合にねじ込み難い。そこで、本発明の螺旋杭立設具は、係止固定部材５によってこの揺動を止めて、螺旋杭Ｘを安定して地中にねじ込むことができるようになっている。この揺動を止める係止固定部材５について以下に説明する。
【００２３】
図３は、本発明の螺旋杭立設具を示す側面図である。係止固定部材５は、包持体４の一側面（図では包持体の裏面の下端に取付けたが、取付け位置には拘らない）に蝶番によって回動自在に取り付けられた垂下体５ａを有する。垂下体５ａの下端には、突出体７があり、この突出体７には、図４に示すように、先端に凹部７ａが形成されている。
【００２４】
包持体４に取付部Ｘ３を挿入すると、係止固定部材５が点線の位置から実線の位置に回動して螺旋杭本体Ｘ２がハンドル１の長手方向とほぼ直角になった位置に係止固定する。蝶番の軸６には、コイルバネ６ａがあり、このコイルバネ６ａの付勢力により螺旋杭本体Ｘ２を垂下体５ａの下端が押圧して固定できるようになっている。螺旋杭本体Ｘ２は、凹部７ａ内でほぼガタツキ無く保持され、ハンドル１は揺動を止められることになる。
【００２５】
なお、コイルバネ６ａの代わりに、垂下体５ａの下端の突出体７により包持体４に取付部Ｘ３を挿入した螺旋杭本体Ｘ２を押圧できる板バネを包持体４の裏面側に取付けたり、包持体４を板バネとするなど他の方法であっても良い。また、図４では、包持体４の上端の多角形の突起４ｂを六角形で示したが、ハンドル１のラチェット機構２の嵌合孔１ａに嵌合できる形状の多角形であれば良い。
【００２６】
上記構成の螺旋杭立設具は、螺旋杭Ｘの取付部Ｘ３を螺旋杭立設具の包持体４に挿入し、垂下体５ａの突出体７の凹部７ａに螺旋杭Ｘの取付部Ｘ３を嵌め込むと、弾性体であるコイルバネ６ａや板バネの付勢力により突出体７の凹部７ａに嵌め込まれた螺旋杭本体Ｘ２が押圧されて包持体４と螺旋杭Ｘが固定される。こうして包持体４に固定された螺旋杭Ｘは、包持体４の上端の多角形突起４ｂにハンドル１の嵌合孔１ａを嵌合し、螺旋杭Ｘの先端を地面の所望の位置に挿し込み螺旋杭Ｘと地面を所望の角度で維持しながらハンドル１を正転と逆転させることを反復して繰返す。ラチェット機構２があるので、螺旋杭Ｘはねじ込む方向にのみ回転し、ハンドル１を逆転すると、爪２ｅと歯車２ｂとの間で滑り、螺旋杭Ｘは逆転しない。こうして、螺旋杭Ｘの先端或は先端近傍の螺旋Ｘ１が螺進して地中に立設される。このとき、ハンドル１が、周辺の他の螺旋杭Ｘや支柱などに当るときであっても、ハンドル１の回転角度を適当にしたり、ハンドル１の位置を変更することで、正転と逆転とを反復繰返すことができ、回転操作が妨げられることはない。正転させる角度が歯車２ｂの１枚分の角度より大きければ、歯車の歯１枚ずつ螺旋杭Ｘを回転させ、ねじ込んでいくことができる。
【００２７】
螺旋杭Ｘを引き抜くときは、ねじ込むときと同じように、螺旋杭Ｘの頭部にハンドル１を取り付け、押圧ピン２ｊが爪２ｅの他方を押圧するように切り替える。こうすることでハンドル１を回転すると、螺旋杭Ｘは、抜け出る方向にのみ回転し、ねじ込む方向には回転しないようになり、抜き出すことができる。
【００２８】
なお、上記実施例で包持体４と垂下体５ａを蝶番型としたり、垂下体５ａを板バネとした目的は、包持体４に螺旋杭Ｘの取付部Ｘ３を嵌め込む際、垂下体５ａを螺旋杭本体Ｘ２から引き離す方向に反らせることにより突出体７の凹部７ａに螺旋杭Ｘの取付部Ｘ３を嵌め込みやすくするためである。包持体４と垂下体５ａを固定した物であっても、上記の嵌め込みやすさが多少犠牲になるが、突出体７の凹部７ａに螺旋杭Ｘの取付部Ｘ３を嵌め込むことができる。
【００２９】
図５は、本発明の螺旋杭立設具の保持具の第２実施例を示す要部斜視図である。図５に示すように、垂下体５ａに代えて、係止固定部材５を包持体４に固定した固定垂下体８を設け、この固定垂下体８の一側に突出部９を突出させる。そして、突出部９に螺旋杭本体Ｘ２を係止する係止部９ａ（図では凹部で示した）を形成し、突出部９の一側に一端を回動自在に取付けた回動固定部材１０を取付ける。係止部９ａに螺旋杭本体Ｘ２を収容し、外側から回動固定部材１０で抑え、係止部材１０ａのフックを係止受部材１０ｂに引っかけて抑えることもできる。したがって、この突出部９と回動固定部材１０とは、螺旋杭本体Ｘ２を挟み持つ挟持固定部材である。
【００３０】
図６は、本発明の螺旋杭立設具の保持具の第３実施例を示す要部断面図である。固定垂下体８の下端に突出した突出体１１の先端に凹部１１ａを形成し、凹部１１ａの両端部１１ｂ，１１ｃに夫々貫通孔１２ａ，１２ｂを穿設する。一側の貫通孔１２ｂより他側の貫通孔１２ａの直径は、小さくなっている。この両貫通孔１２ａ，１２ｂにボルト１３を貫通して取付ける。このボルト１３は、基端１３ａが指で摘みやすいように膨大部となっており、中間部に先端に向って順次細くなる傾斜面１３ｂを有し、先端部或は先端部近傍には、位置決め部１３ｃとしての複数の凹凸が設けられている。突出体１１の一側の端部１１ｂの貫通孔１２ａ近傍には、貫通孔１２ａに挿通されたボルト１３の位置決め部１３ｃとしての複数の凹凸のうちの何れかに先端が嵌り、貫通孔１２ａ，１２ｂに挿通されたボルト１３の位置を決める位置決め突起１４ａを有する位置決め部材１４が取付けられている。図示した位置決め部材１４は、突出体１１の一側の端部１１ｂに回動自在に軸止され、先端がボルト１３の位置決め部１３ｃに嵌る位置決め突起１４ａと、位置決め部材１４を操作するハンドル１４ｂが取付けられている。このハンドル１４ｂは、突出体１１の一側の端部に穿設された穴に挿入された伸縮自在な弾性体１５(図では、コイルバネ)により押圧され、先端がボルト１３の位置決め部１３ｃに位置決め部材１４の位置決め突起１４ａを押圧して係止するようになっている。
【００３１】
前記螺旋杭本体Ｘ２は、突出体１１の凹部１１ａに嵌め込まれ突出体１１の両端部１１ｂ，１１ｃの貫通孔１２ａ，１２ｂに相通されたボルト１３の傾斜面１３ｂに挟まれ固定される。したがって、この凹部１１ａを有する突出体１１と傾斜面１３ｂを有するボルト１３は、螺旋杭本体Ｘ２を挟み持つ挟持固定部材である。この螺旋杭本体Ｘ２を挟み持つ挟持固定部材によるときは、少なくとも突出体１１の一側の貫通孔１２ａからボルト１３を引き抜き、包持体４に取付部Ｘ３を挿入した螺旋杭本体Ｘ２を突出体１１の凹部１１ａに嵌め込んだ状態で、ボルト１３を突出体１１の両端部１１ｂ，１１ｃの貫通孔１２ａ，１２ｂに挿通する（図示した状態の位置決め部材１４は、操作しなくともボルト１３を挿入できる角度に突起１４ａが形成されている）。こうしてボルト１３が挿通されると、位置決め部材１４の突起１４ａが、自動的にボルト１３の位置決め部１３ｃに係止あるいは嵌り込み突出体１１の凹部１１ａとボルト１３の傾斜面１３ｂに挟まり挟持固定される。螺旋杭Ｘを取外すときは、位置決め部材１４のハンドル１４ｂを回動してボルト１３の位置決め部１３ｃから位置決め部材１４の突起１４ａを外し、ボルト１３の基端１３ａを摘んで引抜き、突出体１１の凹部１１ａから螺旋杭本体Ｘ２を外した後、包持体４から螺旋杭Ｘの取付部Ｘ３を引き抜く。
【００３２】
上記構成の挟持固定部材を有する螺旋杭立設具は、弾性体の付勢力による螺旋杭本体Ｘ２を固定する代りに、挟持固定部材の挟持力により包持体４と螺旋杭Ｘを固定するものであり、包持体４と螺旋杭Ｘの固定方法が異なるだけで他の作用効果は、弾性体の付勢力により螺旋杭本体Ｘ２を固定する螺旋杭立設具と同様である。
【００３３】
本発明の螺旋杭立設具は、上述の実施の形態に限定されるものではなく、特に、保持体と保持体に螺旋杭を固定する手段については、実施の形態に限定されるものではなく、本発明の要旨を逸脱しない範囲内において種々変更を加え得ることもできる。
【産業上の利用可能性】
【００３４】
本発明の螺旋杭立設具は、圃場などで螺旋杭を立設するとき、特に、多数の螺旋杭を近接状態で立設するときに役立つ。
【図面の簡単な説明】
【００３５】
【図１】本発明の螺旋杭立設具を示す一部切欠断面付き正面図である。
【図２】図１の固定具と上部蓋体を取外したときのハンドルの要部を示す平面図である。
【図３】本発明の螺旋杭立設具を示す側面図である。
【図４】本発明の螺旋杭立設具の保持具を示す要部斜視図である。
【図５】本発明の螺旋杭立設具の保持具の第２実施例を示す要部斜視図である。
【図６】本発明の螺旋杭立設具の保持具の第３実施例を示す要部断面図である。
【図７】螺旋杭の別の例を示す正面図である。
【符号の説明】
【００３６】
１          ハンドル
１ａ        嵌合孔
１ｂ        固定部材
１ｃ        上部蓋体
１ｄ        把持部
２          ラチェット機構
２ｂ        多数の歯を有する歯車
２ｃ        切替突起
２ｄ        軸
２ｅ        爪
２ｆ        圧縮バネである弾性体
２ｊ        押圧ピン
３          保持体
４          包持体
４ａ        開口
４ｂ        突起
５          係止固定部材
５ａ        蝶番状に取付けられた垂下体
６          軸
６ａ        コイルバネ
７          突出体
７ａ        凹部
８          固定垂下体
９          突出部
９ａ        係止部
１０          回動固定部材
１０ａ        係止部材
１０ｂ        係止受部材
１１          突出体
１１ａ        凹部
１１ｂ，１１ｃ        突出体の両端部
１２ａ，１２ｂ        貫通孔
１３          ボルト
１３ａ        膨大したボルトの基端
１３ｂ        ボルトの傾斜面
１３ｃ        位置決め部
１４          位置決め部材
１４ａ        ボルトの位置決め部に嵌る位置決め突起
１４ｂ        位置決め部材を操作するハンドル
１５          伸縮自在なコイルバネである弾性体
Ｘ            螺旋杭
Ｘ１          円盤状の螺旋
Ｘ２          螺旋杭本体
Ｘ３          取付部
Ｙ            螺旋杭
Ｙ１          螺旋
【図１】
2009002063.tif 000003
【図２】
2009002063.tif 000004
【図３】
2009002063.tif 000005
【図４】
2009002063.tif 000006
【図５】
2009002063.tif 000007
【図６】
2009002063.tif 000008
【図７】
2009002063.tif 000009